(57)【特許請求の範囲】
【請求項１】
吊懸式移動パネルにおける本体の上端及び下端に密閉基体を突出、後退動可能に配設し、前記本体内に配置した伝動機構を介して前上下両密閉基体を一斉に昇降駆動するように構成してなる吊懸式移動パネルにおいて、当該移動パネルの移動方向に対面する側端面には、その側端面の幅方向の中心線を挟んで片方に上下長手の突条部が配置され、他方に上下長手の凹溝部が配置されてなる召し合わせ部を設けて、隣接する移動パネルにおける側端面に設けた前記と対称状の召し合わせ部と相互に嵌合するように構成する一方、前記側端面の上下端には前記突条部と凹溝部とを挟む外側には、前記上下密閉基体の端部が通過する切欠き部を設けたことを特徴とする吊懸式移動パネルの召し合わせ装置。
【請求項２】
前記上下密閉基体の端部には、前記各切欠き部に嵌まる端カバー片を装着したことを特徴とする請求項１に記載の吊懸式移動パネルの召し合わせ装置。
【発明の詳細な説明】
【０００１】
【発明の属する技術分野】
本発明は、室内等の天井面に沿って配設したレールに吊懸けて移動できるようにした正面視ほぼ矩形状の移動パネルの少なくとも上端と天井面との間、移動パネルの下端と床面との間の隙間を閉止するための密閉装置を備えた移動パネルの召し合わせ装置の構造に関するものである。
【０００２】
【従来の技術】
吊懸式移動パネルにおける召し合わせ装置として、実公平３−３７５６号公報に開示されているように、一方の移動パネルの移動方向の前端面もしくは後端面に、当該端面の幅方向の中心線部分に上下長手の中央凹溝を形成し、それを挟んで左右両側に上下長手のシール凹溝を形成する一方、他方の移動パネルの端面には、前記一方の移動パネルにおける中央凹溝に嵌まる上下長手の召し合わせ用ガイド突起体を装着し、該召し合わせ用ガイド突起体を挟んで左右両側には、前記シール凹溝に嵌まるシール突起を設けたものが提案されている。
【０００３】
【発明が解決しようとする課題】
ところで、移動パネルの上下端部に、上下反対向きに出没移動する密閉基体を設けることにより、移動パネルの上下端部と天井レール及び床面との間の隙間を密閉して、室を仕切った時に光や音が外に漏れないようにするには、これら密閉基体の長さを移動パネルの間口方向寸法に等しく設定する必要がある。
【０００４】
そうすると、移動パネルの移動方向の端面の上下端部には、前記密閉基体の端面が上下移動するときの必要空間を設けなければならないから、その部分には、前記先行技術における中央凹溝、召し合わせ用ガイド突起体、シール凹溝、シール突起を配置できず、これらの部材が配置されていない、移動パネルの端面上下部位から音や光が漏れ出しやすいという問題があった。
【０００５】
本発明では、この問題を解決した吊懸式移動パネルの召し合わせ装置を提供することを目的とするものである。
【０００６】
【課題を解決するための手段】
前記目的を達成するため、請求項１に記載の発明の吊懸式移動パネルの召し合わせ装置は、吊懸式移動パネルにおける本体の上端及び下端に密閉基体を突出、後退動可能に配設し、前記本体内に配置した伝動機構を介して前上下両密閉基体を一斉に昇降駆動するように構成してなる吊懸式移動パネルにおいて、当該移動パネルの移動方向に対面する側端面には、その側端面の幅方向の中心線を挟んで片方に上下長手の突条部が配置され、他方に上下長手の凹溝部が配置されてなる召し合わせ部を設けて、隣接する移動パネルにおける側端面に設けた前記と対称状の召し合わせ部と相互に嵌合するように構成する一方、前記側端面の上下端には前記突条部と凹溝部とを挟む外側には、前記上下密閉基体の端部が通過する切欠き部を設けたものである。
【０００７】
また、請求項２に記載の発明は、請求項１に記載の吊懸式移動パネルの召し合わせ装置において、前記上下密閉基体の端部には、前記各切欠き部に嵌まる端カバー片を装着したものである。
【０００８】
【発明の実施の形態】
次に本発明を具体化した実施形態について説明する。図１は吊懸式の移動パネルの正面図、図２は構成部品の斜視図、図３は吊懸部及び上端の密閉基体の断面図、図４は操作部及びリンク機構の拡大正面図である。
図１及び図２に示すように、移動パネル１は、断面ほぼ矩形中空状等の枠部材からなる本体２と、該本体２の移動方向に沿って延びる上凹溝部材３及び下凹溝部材４から上向き及び下向きに出没可能に配置された上下密閉基体５，６と、本体２の表裏両面に張設する表装板１３等とからなり、本体２の上端枠部材から固定アジャスタ１５及び遊動アジャスタ１６を介して突出する２本の吊支ボルト７、７の上端に設けられたランナ８におけるコロ９が下向きコ字型の天井レール１０内に吊懸支持されて、移動パネル１が天井レール１０に沿って移動可能に構成されている。
【０００９】
なお、図１において、右側の移動パネル１は、その一側端部が室内の側壁１１に近接した位置で停止したとき、後述する操作により、本体１の横凹溝部材１４から横向きに突出する側方密閉基体１２が側壁１１に対して当接して隙間を密閉できるように構成されている。
前記上下密閉基体５，６は移動パネル１の本体２の間口寸法（移動方向寸法）とほぼ同じ長さを有し、側方密閉基体１２は本体２の上下寸法にほぼ等しい長さを有する。そして、これら各密閉基体は同じ構成であるので、上密閉基体５を代表して、図３を参照しながら詳細に説明すると、アルミ押出部材からなる断面下向き略コ字型の上密閉基体５の上端の全長にわたって延びる溝内には、軟質ゴム製もしくは軟質合成樹脂製の一対の長手シール片１７，１７の基部が抜き差し可能に嵌合して、各長手シール片１７の先端可撓部が密閉する相手部材（この場合は天井レール１０の下面から下向きに突出して、天井板２０の端部の支持枠１８）に当接したとき屈曲し得るように構成されている。また、上密閉基体５が上凹溝部材３内に嵌入する部分には、当該上凹溝部材３の内面に常時摺接する軟質ゴム製もしくは軟質合成樹脂製の一対の長手シール部材１９，１９が上密閉基体５の全長にわたって延びるように装着されている。
【００１０】
次に、図１、図２、図４〜図６を参照しながら、前記上下密閉基体５，６及び側方密閉基体１２の出没のための構成について説明する。上密閉基体５及び下密閉基体６の長手方向の両端部寄り部位（本体２の左右両側端部寄り部位）に固定した緩衝用スプリング入りのスプリングケース２１に縦杆２２の先端を螺着等により連結する。そして、本体２の左右両側端寄り部位の上下方向の中途部には、本体２の厚み寸法内に収まる主枠体２３と副枠体２４とが配置されている。この主枠体２３と副枠体２４とは、スペーサ２６の両面にネジ止めした一対の板２５により構成され、主枠体２３及び副枠体２４の表裏の板２５，２５の間に配置された上下一対のリンク片２７，２７の先端に前記上下の縦杆２２，２２の基端がピン２８を介して回動可能に連結されている。
【００１１】
また、上下対のリンク片２７，２７を連結ピン２９を介して「く」の字状に屈曲可能に連結する。そして、この上下対のリンク片２７，２７の中間連結箇所としての連結ピン２９の両端を水平な左右方向に案内するための案内溝３０，３０が前記板２５，２５に穿設されている。
さらに、主枠体２３側にラック（歯面）３１を有する横長作動杆３２を前記左右両側の連結ピン２９，２９に連結する。この横長作動杆３２を左右方向に駆動するための作動部として、主枠体２３に回転可能に備えたピニオンギヤ３３を前記ラック３１に噛み合わせる。また、ピニオンギヤ３３と一体的に回転する中心軸３４を一方の板２５及び表装板１３を貫通させて、移動パネル１の外に突出させ、該中心軸３４の先端の非円形部に回転ハンドル（図示せず）を着脱自在に被嵌し、回転ハンドル、ひいてはピニオンギヤ３３を図５の矢印Ａ方向（時計方向）に回転させると、上下のリンク片２７，２７の先端間の距離が狭くなり（図５の実線状態参照）、上下の縦杆２２，２２が引っ張られて、上密閉基体５は上凹溝部材３内に引き込まれ、同時に下密閉基体６は下凹溝部材４内に引き込まれる。
【００１２】
逆に、ピニオンギヤ３３を図５の矢印Ｂ方向（反時計方向）に回転させると、上下のリンク片２７，２７の先端間の距離が広がり（図５の二点鎖線参照）、上下の縦杆２２，２２が上下に押され、上密閉基体５は上凹溝部材３から上向きに突出し、同時に下密閉基体６は下凹溝部材４から下向きに突出する。
従って、ピニオンギヤ３３の所定方向への回転により、横長作動杆３２を介して上下対のリンク片２７，２７の先端間の距離を拡狭回動させ、上下の縦杆２２，２２を互いに上下逆方向に移動させて、上下両密閉基体５，６を移動パネル１の上下端に対して出没動させ、上密閉基体５の長手シール片１７は天井レール１０の下面の支持枠１８等に密接して隙間を密閉する。下密閉基体６における長手シール片１７は床面３７に当接して隙間を密閉することができるのである。
【００１３】
なお、側方密閉基体１２の上下両端部寄り部位から同じくスプリングケース２１を介して連結された横杆３５，３５は、前記上下の縦杆２２，２２の中途部に設けた伝達機構部３６，３６により横方向に出没動するように構成されている。この伝達機構部３６は例えば、前記縦杆２２の中途部に設けられた縦方向に長いラックに噛み合って回転するピニオンギヤに前記横杆３５に設けられたラック部を噛み合わせることで構成しても良い。なお、前記伝達機構部３６は長い縦杆２２の滑り軸受の機能も有する。
【００１４】
少なくとも上下の密閉基体５，６を互いに上下逆方向に作動させるための動力伝達機構は、移動パネル１の本体２内の左右両側端部寄り部位にて前記上下両密閉基体５，６にそれぞれ先端が連結される４本の縦杆２２をほぼ平行状に配設し、前記左右両側位置の上下の縦杆２２，２２の基端を上下一対のリンク片２７，２７にて各々連結し、該左右両側における上下一対のリンク片２７，２７の中間連結部（連結ピン２９）同士を横長作動杆３２にて接続し、前記左右両側のうちの一方の対のリンク片２７，２７の連結箇所の近傍には、前記横長作動杆３２を前記本体の側面外部から左右移動させるための作動部を備えたのであるから、図１及び図２に示すように、本体２の広幅面が上下の縦杆２２と横長作動杆３２とで区切られて、ほぼ矩形の空間が形成されると共に、前記縦杆２２及び横長作動杆３２はそれぞれその長手軸線に沿った方向にのみ移動するから、これらの杆の移動のために要する必要空間は前記縦杆２２及び横長作動杆３２の長手軸線に沿う極めて細長いもので済む。
【００１５】
それ故、本体２の広幅面の空間を、ガラスウール等の断熱部材やロックウール防音材（吸音材）３８にて充填する空間が広くなり、且つその空間形状もほぼ矩形状でシンプルであるから、防音材３８等の形状形成の作業も簡単にできるという効果を奏する。
また、主枠体２３及び副枠体２４には、上下一対のリンク片２７，２７の中間連結部を左右方向にガイドするための案内溝３０を備えた板２５にて両側を覆うから、これら枠体２３，２４の箇所を除くように防音材３８等を充填したしても、枠体２３，２４内部のリンク片２７等に防音材３８等が接触せず、リンク片２７の動きを邪魔しない。
【００１６】
図７に示すコーナ密閉基体４１は、上密閉基体５の端部と側方密閉基体１２の上端との間に配置されるもので、前記各密閉基体５，１２と同じ断面形状であって正面視略矩形状の基部４２の内面の内角部に、正面視逆Ｌ字状で断面コ字状のアーム部材４３をねじ４４止めする。このアーム部材４３は、上密閉基体５及び側方密閉基体１２の内面にそれぞれ嵌入する。そして、アーム部材４３の両外側面には、前記上密閉基体５及び側方密閉基体１２の内面に形成されたレール部４５（図３及び図４参照）に嵌まって転動可能な複数のコロ４６が取付けられている。前記基部４２内面の外角部には、前記と同様の長手シール片１７を備えると共に、正面視Ｌ字状の取付け片４７を介して軟質ゴム製のひれ状の補助シール片４８が配置されている。
【００１７】
従って、移動パネル１の移動時等において、図８（ａ）のように、上密閉基体５が上凹溝部材３内に後退して嵌まり、側方密閉基体１２が横凹溝部材１４内に後退して嵌まっている状態では、前アーム部材４３の横向き先端部及び下向き先端部がそれぞれ上密閉基体５の端部と側方密閉基体１２の上端部に深く嵌まり込んでいるから、コーナ密閉基体４１の基部４２も、表装板１３のコーナ部の内側に入り込んでいる。
【００１８】
側方密閉基体１２が側壁１１に接近した位置で移動パネル１を停止させ、前記作動部としてのピニオンギヤ３３を図示しないハンドルにて図５の矢印Ｂ方向に回転すると、上下対のリンク片２７，２７の先端間の距離が拡がり、上下の縦杆２２，２２が上下に互いに離れるように移動して上下の密閉基体５，６がそれぞれ天井レール１０の下面の支持枠１８及び床面３７方向に突出すると共に、伝動機構部３６，３６を介して横杆３５，３５が突出するので、側方密閉基体１２は側壁１１方向に突出する。すると、コーナ密閉基体４１のアーム部材４３が上密閉基体５の端部と側方密閉基体１２の上端とから突出し（図８（ｂ）参照）、当該コーナ密閉基体４１における長手シール片１９と補助シール片４８とが、前記支持枠１８と側壁１１とのコーナ部の隙間を密閉するように斜め外向きに突出できるのである。
【００１９】
次に、図４、図１０及び図１１を参照しながら、隣接する２つの移動パネル１，１の召し合わせ部の構成について説明する。図１０は一方の移動パネル１における移動方向の前端もしくは後端面を示し、この端面の中心線を挟んで一方寄りに上下長手の突条部５０が形成され、また前記中心線を挟んで突条部５０と対称位置には上下長手の凹溝部５１が形成された端部材５２を枠体２に固定したものであり、他方の移動パネル１では、端部材５２を上下逆向きに取付けすることで、前記一方の移動パネル１におけるものと、凹溝部５１と突条部５０とが前記中心線を挟んで逆位置になり、互いに嵌合しあう（召し合わせできる）ように構成されている（図４参照）。これら端部材５２はアルミ押出型材にて構成することが好ましい。
【００２０】
図１０に示すごとく、前記端部材５２の上下端には、前記凹溝部５１及び突条部５０の外側の平坦板部５２ａの箇所に上向き及び下向きに開放された所定の上下長さの切欠き部５６，５６を形成する一方、上下密閉基体５，６の両側端面を覆うように上下長手のカバー片５４，５４がビス５５止めされている。そして、該各カバー片５４は、上下各密閉基体５，６が上凹溝部材３、下凹溝部材４にそれぞれ嵌入するとき、前記切欠き部５６の箇所に嵌まり込むことができる。また、図４に示すように、隣接する２つの移動パネル１，１の前後端が召し合わせ状態になったときの寸法Ｔ１の隙間内には、隣接する密閉基体５（６）の端部に装着された端カバー片５４，５４が若干隔てて対面し、且つ前記隙間を埋めるようになっている。
【００２１】
なお、各凹溝部５１内には、図１１に示すような、断面凹溝内面に複数条のひれシール５３ａが一体的に突設された軟質ゴム製のパッキン５３を嵌合固定させると、凹溝部５１に他方の突条部５０が嵌まり込んだとき、隣接する移動パネル１の召し合わせ部分にて音及び光が移動パネル１の厚み方向に漏れない効果を向上させることができると共に、停止している移動パネル１の後端に前進してくる移動パネル１の前端が嵌まり込むとき、当該移動中の移動パネル１がその厚み方向に若干揺れても、凹溝部５１に対する突条部５０の嵌合動作中に干渉しあって破損するという故障も防止できる。
【００２２】
これらの構成により、移動方向に隣接する２つの移動パネル１，１の前後端が召し合わせ状態になったとき、上下長手の突条部５０及び凹溝部５１の上下端の位置が各移動パネル１における表装板１３（本体２）の上下端縁まで延びているから、その２組の召し合わせ部分の上下長さが長くなり、音及び光の漏出防止効果を向上させることができる。
【００２３】
換言すると、移動パネル１の上下端側の隙間を密閉するために密閉基体５，６を上下方向に可動とし、且つ各移動パネル１の移動方向に沿う全長にわたって密閉するには、移動パネル１の前後端部材５２，５２より外側まで密閉基体５，６の端部を延ばす必要から、前記切欠き部５６は必須となるが、この切欠き部５６の存在のために、召し合わせ部分の上下長さが短くなると、隣接する移動パネル１，１の前後端面における上下方向の密閉長さが短くなってしまうが、本発明のように、切欠き部５６が突条部５０と凹溝部５１とによる召し合わせ部分よりも中心線から外方向に外れた位置に形成されることより、前記上下方向の密閉長さを短くすることなく、移動パネルの上下及び移動方向の前後の密閉性を向上させることができるのである。
【００２４】
さらに、移動パネル１の上下の密閉状態において、上下各密閉基体５，６の端面に取付けられた端カバー片５４，５４同士が接近して、この対面する端カバー片５４，５４間の隙間を少なくできると共に、図１０に示すように、切欠き部５６の開放端から略半分程度上向きもしくは下向きに突出している端カバー片５４に対して、各移動パネル１の端面の幅方向の中心線寄りに位置する２組の突条部５０と凹溝部５１とによる召し合わせ部分が端カバー片５４の上下方向に一部の長さにおいて重複していることと、上下に重複していない箇所でも、前記２組の突条部５０と凹溝部５１とによる召し合わせ部分が存在することにより、音及び光の漏出防止効果をより向上させることができるのである。
【００２５】
【発明の効果】
以上に詳述したように、請求項１に記載の発明の吊懸式移動パネルの召し合わせ装置は、吊懸式移動パネルにおける本体の上端及び下端に密閉基体を突出、後退動可能に配設し、前記本体内に配置した伝動機構を介して前上下両密閉基体を一斉に昇降駆動するように構成してなる吊懸式移動パネルにおいて、当該移動パネルの移動方向に対面する側端面には、その側端面の幅方向の中心線を挟んで片方に上下長手の突条部が配置され、他方に上下長手の凹溝部が配置されてなる召し合わせ部を設けて、隣接する移動パネルにおける側端面に設けた前記と対称状の召し合わせ部と相互に嵌合するように構成する一方、前記側端面の上下端には前記突条部と凹溝部とを挟む外側には、前記上下密閉基体の端部が通過する切欠き部を設けたものである。
【００２６】
この構成により、移動方向に隣接するつの移動パネルの前後端が召し合わせ状態になったとき、上下長手の突条部及び凹溝部の上下端の位置が各移動パネルにおける本体の上下端縁まで延びているから、その召し合わせ部分の上下長さが長くなり、音及び光の漏出防止効果を向上させることができる。
そして、移動パネルの上下端側の隙間を密閉するために密閉基体を上下方向に可動とし、且つ各移動パネルの移動方向に沿う全長にわたって密閉するには、移動パネルの前後端面（移動方向に対面する側端面）より外側まで密閉基体の端部を延ばす必要から、前記切欠き部は必須となるが、この切欠き部の存在のために、召し合わせ部分の上下長さが短くなると、隣接する移動パネルの前後端面における上下方向の密閉長さが短くなってしまうが、本発明のように、切欠き部が突条部と凹溝部とによる召し合わせ部分よりも外側方向に外れた位置に形成されることより、前記上下方向の密閉長さを短くすることなく、移動パネルの上下及び移動方向の前後の密閉性を向上させることができるという効果を奏するのである。
【００２７】
また、請求項２に記載の発明は、請求項１に記載の吊懸式移動パネルの召し合わせ装置において、前記上下密閉基体の端部には、前記各切欠き部に嵌まる端カバー片を装着したものである。
この構成によれば、移動パネルの上下の密閉状態において、上下各密閉基体の端面に取付けられた端カバー片同士が接近して、この対面する端カバー片間の隙間を少なくできると共に、切欠き部の開放端から略半分程度上向きもしくは下向きに突出している端カバー片に対して、各移動パネルの端面の幅方向の中心線寄りに位置する２組の突条部と凹溝部とによる召し合わせ部分がそれよりも外側位置の端カバー片の上下方向に一部の長さにおいて重複していることと、上下に重複していない箇所でも、前記２組の突条部と凹溝部とによる召し合わせ部分が存在することにより、音及び光の漏出防止効果をより向上させることができるのである。
【図面の簡単な説明】
【図１】移動パネルの正面図である。
【図２】移動パネルの主要部品の斜視図である。
【図３】移動パネルの上部の断面図である。
【図４】図１のIV−IV線矢視拡大断面図である。
【図５】主枠体及び副枠体の箇所の一方の板を除いた状態の正面図である。
【図６】図５のVI−VI線矢視拡大断面図である。
【図７】コーナ密閉基体の正面図である。
【図８】（ａ）はコーナ密閉基体が没した状態の正面図、（ｂ）はコーナ密閉基体が突出した状態の一部切欠き正面図である。
【図９】（ａ）はコーナ密閉基体の拡大断面図、（ｂ）は図８のIX−IX線矢視拡大断面図である。
【図１０】図４のＸ−Ｘ矢視で示す移動パネルの端面図である。
【図１１】パッキンの拡大断面図である。
【符号の説明】
１      移動パネル
２      本体
３      上凹溝部材
４      下凹溝部材
５      上密閉基体
６      下密閉基体
１２      側方密閉基体
１７      長手シール片
２２      縦杆
２３      主枠体
２４      副枠体
２７      リンク片
２８      ピン
２９      連結ピン
３０      案内溝
３１      ラック
３２      横長作動杆
３３      ピニオンギヤ
５０      突条部
５１      凹溝部
５２      端部材
５２ａ    平坦板部
５３      パッキン
５４      端カバー片
５６      切欠き部
【図１】
0003698230.tif 000002
【図２】
0003698230.tif 000003
【図３】
0003698230.tif 000004
【図４】
0003698230.tif 000005
【図５】
0003698230.tif 000006
【図６】
0003698230.tif 000007
【図７】
0003698230.tif 000008
【図８】
0003698230.tif 000009
【図９】
0003698230.tif 000010
【図１０】
0003698230.tif 000011
【図１１】
0003698230.tif 000012